(57)【要約】【課題】  ブログにおいて用いられるＰｉｎｇサーバの機能を、自らのウェブサイトにおいて実現することを支援するＰｉｎｇサーバ機能支援システムを提供することを目的とする。【解決手段】  ユーザ管理システムと処理システムとを有しており、処理システムは、タグ情報を運営者端末で表示させるタグ情報提供部と、ＰｉｎｇをＰｉｎｇ一括配信サーバ等から受け取り、それに対応する新着記事を運営者毎に、更新情報記憶部に記憶させるＰｉｎｇ受取部と、ユーザ端末からの更新情報取得要求を受け付け、それに対応する新着記事を抽出する更新情報取得要求受付部と、抽出した新着記事をウェブサイトの所定欄に表示させる更新情報送信部と、を有しており、タグ情報提供部は、タグ情報を運営者端末で表示することにより、運営者のウェブサイトにタグ情報をコピー可能とせしめる、Ｐｉｎｇサーバ機能支援システムである。【選択図】  図１
2008217397.tif 000002
【特許請求の範囲】
【請求項１】
ウェブサイトにおいてＰｉｎｇサーバの機能を実現させることを支援するＰｉｎｇサーバ機能支援システムであって、
前記Ｐｉｎｇサーバ機能支援システムは、
前記ウェブサイトの運営者の属性情報の登録を運営者端末から受け付け、その管理を行うユーザ管理システムと、
前記Ｐｉｎｇサーバの機能を実現させることを支援する処理システムと、を有しており、
前記処理システムは、
前記Ｐｉｎｇサーバの機能を実現させるためのタグとスクリプトファイルへアクセスするためのＵＲＬとを含むタグ情報を前記運営者端末で表示させるタグ情報提供部と、
ブロガーによるブログの更新通知であるＰｉｎｇをＰｉｎｇ一括配信サーバまたはブログサーバから受け取り、それに対応する新着記事を前記運営者毎に、更新情報記憶部に記憶させるＰｉｎｇ受取部と、
前記運営者のウェブサイトにアクセスしたユーザのユーザ端末からの更新情報取得要求を受け付け、それに対応する新着記事を前記更新情報記憶部から抽出する更新情報取得要求受付部と、
前記抽出した新着記事を前記ユーザ端末に送信することにより、前記ユーザ端末の前記ウェブサイトの所定欄に、該新着記事を表示させる更新情報送信部と、を有しており、
前記タグ情報提供部は、
前記タグ情報を前記運営者端末で表示することにより、前記運営者のウェブサイトに前記タグ情報をコピー可能とせしめ、前記運営者のウェブサイトのＨＴＭＬタグに、該コピーされたタグ情報が貼り付けられて、前記運営者のウェブサイトとして更新され、
前記タグとスクリプトファイルは、
前記ユーザ端末において、ブログの更新情報を表示させるためのトリガとなる更新情報取得要求を前記ユーザ端末から前記Ｐｉｎｇサーバ機能支援システムに送信させるコードである、
ことを特徴とするＰｉｎｇサーバ機能支援システム。
【請求項２】
前記更新された運営者のウェブサイトが前記ユーザ端末において表示されると、
前記ＨＴＭＬタグに含まれるタグ情報におけるスクリプトファイルを前記ユーザ端末が読み込むことで、前記Ｐｉｎｇサーバ機能支援システムに対して、前記更新情報取得要求を送信する、
ことを特徴とする請求項１に記載のＰｉｎｇサーバ機能支援システム。
【請求項３】
前記Ｐｉｎｇ受取部は、更に、
予め定められた条件を充足するＰｉｎｇに対応する新着記事のみを前記更新情報記憶部に記憶させる、
ことを特徴とする請求項１または請求項２に記載のＰｉｎｇサーバ機能支援システム。
【発明の詳細な説明】
【技術分野】
【０００１】
本発明は、ウェブログ（本明細書においては「ブログ」と略する）において用いられるＰｉｎｇサーバの機能を、自らのウェブサイトにおいて実現することを支援するＰｉｎｇサーバ機能支援システムに関する。
【背景技術】
【０００２】
インターネットの普及と共に、法人や個人などによる情報発信が盛んになってきている。特に個人にとっては、気軽に情報の発信を行うことの出来るブログと呼ばれるウェブサービスが広く利用されている。これは、ブログサービスの提供会社のウェブサイトから、自分のＩＤを作成することにより自らのブログを作成し、その所定欄に書きたいことを入力するだけで、自らのウェブサイト（ブログ）として情報の発信が出来るので、ＨＴＭＬ言語などに詳しくない人であっても情報発信が出来ることから、様々な人が利用している。
【０００３】
ところでこのようなブロガー（ブログを作成しているユーザ）は、ブログに記事を書いただけでは誰からも見てもらえない。これは、あるブロガーが書いたブログを第三者が見るためには、そのブログのＵＲＬにアクセスしなければ見ることが出来ないが、第三者が直接そのＵＲＬを知ることは少ないためである。そこで「トラックバック」や「コメント」と呼ばれる機能を利用して、ほかのブロガーのブログに自分のブログのＵＲＬを残すことで、第三者に周知を図ることが出来るが、それにも限度がある。
【０００４】
そこで自らのブログを様々な人から見てもらえるように、不特定多数の人がアクセスするＰｉｎｇサーバ（「ピングサーバ」または「ピンサーバ」）と呼ばれるウェブサーバに、ブログの記事を更新したことを通知することで、自分のブログが更新されたことを表示させ、第三者からの閲覧を図るように仕向けることも出来る（非特許文献１）。
【０００５】
このようなＰｉｎｇサーバは、ブログサービスの提供会社が運営している場合もあるし、ポータルサイトの提供会社が運営している場合もあるし、或いは独立した法人または個人が運営している場合もある。
【０００６】
Ｐｉｎｇサーバは、ブログを管理するウェブサーバ（本明細書では「ブログサーバ」と呼ぶ）からブログが更新されたことの通知（これを「Ｐｉｎｇ」と呼ぶ）を受け取ると、ブログサーバからのＲＳＳなどを取得して、Ｐｉｎｇサーバの画面において、Ｐｉｎｇを受け取ったブログにおいて記事が更新されたこと、そしてその内容を表示させる（この際に当該ブログのＵＲＬに対するリンクが張られている）。これによって、Ｐｉｎｇサーバの画面を見ていた第三者は、ブログが更新されたことを知って、そのブログに興味があれば、リンクをクリックすることで、当該ブログの記事を読むことが出来る。
【０００７】
【非特許文献１】株式会社ぶらんこ、”Ｐｉｎｇｏｏ！とは？”、[online]、インターネット＜ＵＲＬ：http://pingoo.jp/aboutpingoo.html＞
【発明の開示】
【発明が解決しようとする課題】
【０００８】
このようにアクセス数が多いＰｉｎｇサーバは、ブロガーにとって、自分のブログの記事を更新したことを第三者へアピールすることの出来る絶好の場となっており、これによって自分のブログへのアクセス数や露出度を高めることの出来るツールとして不可欠なものとなっている。
【０００９】
一方、Ｐｉｎｇサーバを運営する運営会社にとっても、多くのブロガーが自分のＰｉｎｇサーバを利用するようになってくれれば、多くの人からのアクセスを受けることが出来るので、広告収入の増加のような経済的効果のほか、さまざまなブロガーからの様々なブログの記事の更新通知を受け取ることが出来るので、それを分野ごとに分類しておけば情報発信のツールの一つとして利用することが出来る。
【００１０】
例えばある自動車会社が自らのウェブサイトにＰｉｎｇサーバの機能を取り込んだとする。その場合、当該Ｐｉｎｇサーバを利用するブロガーからの自動車に関する記事を受け取り、自らのウェブサイトの一部にそれらを表示する、つまり自動車に関するブログによる新しい記事の更新があったことを表示すれば、当該自動車会社のウェブサイトによる情報発信と、一般のブロガーとのブログによる自動車に関する記事とがあたかも連動しているように見える。そのため、普通に当該自動車会社のウェブサイトにアクセスした人は、当該自動車会社からの一般的な情報提供のほか、ブロガーによるブログの記事も見る機会が増え、自動車会社にとっても情報提供の幅が広げられる点でメリットがある。
【００１１】
ところがＰｉｎｇサーバを設けるには専門的な知識が必要となり、誰でもが容易に作ることの出来るものではない。そのため現在のところ、Ｐｉｎｇサーバは、主にブログサービスの運営会社が提供しているのが殆どである。
【課題を解決するための手段】
【００１２】
そこで本発明者は上記問題点に鑑み、誰でもが容易に自らのウェブサイトにＰｉｎｇサーバと同等の機能を実現することができるようにする、Ｐｉｎｇサーバ機能支援システムを発明した。
【００１３】
請求項１の発明は、ウェブサイトにおいてＰｉｎｇサーバの機能を実現させることを支援するＰｉｎｇサーバ機能支援システムであって、前記Ｐｉｎｇサーバ機能支援システムは、前記ウェブサイトの運営者の属性情報の登録を運営者端末から受け付け、その管理を行うユーザ管理システムと、前記Ｐｉｎｇサーバの機能を実現させることを支援する処理システムと、を有しており、前記処理システムは、前記Ｐｉｎｇサーバの機能を実現させるためのタグとスクリプトファイルへアクセスするためのＵＲＬとを含むタグ情報を前記運営者端末で表示させるタグ情報提供部と、ブロガーによるブログの更新通知であるＰｉｎｇをＰｉｎｇ一括配信サーバまたはブログサーバから受け取り、それに対応する新着記事を前記運営者毎に、更新情報記憶部に記憶させるＰｉｎｇ受取部と、前記運営者のウェブサイトにアクセスしたユーザのユーザ端末からの更新情報取得要求を受け付け、それに対応する新着記事を前記更新情報記憶部から抽出する更新情報取得要求受付部と、前記抽出した新着記事を前記ユーザ端末に送信することにより、前記ユーザ端末の前記ウェブサイトの所定欄に、該新着記事を表示させる更新情報送信部と、を有しており、前記タグ情報提供部は、前記タグ情報を前記運営者端末で表示することにより、前記運営者のウェブサイトに前記タグ情報をコピー可能とせしめ、前記運営者のウェブサイトのＨＴＭＬタグに、該コピーされたタグ情報が貼り付けられて、前記運営者のウェブサイトとして更新され、前記タグとスクリプトファイルは、前記ユーザ端末において、ブログの更新情報を表示させるためのトリガとなる更新情報取得要求を前記ユーザ端末から前記Ｐｉｎｇサーバ機能支援システムに送信させるコードである、Ｐｉｎｇサーバ機能支援システムである。
【００１４】
本発明のように構成することで、ウェブサイトにおいて実質的にＰｉｎｇサーバと同等の機能を実現させることが出来る。そして機能を実現させるにあたっては、従来のようにＰｉｎｇサーバを実現するコードをウェブサイトの運営者が一から記述するのではなく、Ｐｉｎｇサーバ機能支援システムが表示するコード（タグ情報）をコピーして、当該ウェブサイトのＨＴＭＬタグに貼り付けさせるだけでよいので、誰でもが容易に実行できる。またこのタグ情報におけるタグとスクリプトファイルは、当該ウェブサイトを表示しているユーザ端末が処理システムに対して、新着記事を取得する取得要求を送信するコードであることから、ユーザ端末を利用する一般のインターネットユーザに対して何らの負担も発生しない。
【００１５】
請求項２の発明において、前記更新された運営者のウェブサイトが前記ユーザ端末において表示されると、前記ＨＴＭＬタグに含まれるタグ情報におけるスクリプトファイルを前記ユーザ端末が読み込むことで、前記Ｐｉｎｇサーバ機能支援システムに対して、前記更新情報取得要求を送信する、Ｐｉｎｇサーバ機能支援システムである。
【００１６】
請求項３の発明において、前記Ｐｉｎｇ受取部は、更に、予め定められた条件を充足するＰｉｎｇに対応する新着記事のみを前記更新情報記憶部に記憶させる、Ｐｉｎｇサーバ機能支援システムである。
【００１７】
Ｐｉｎｇに対応する新着記事を記憶させる際に、Ｐｉｎｇ一括配信サーバまたはブログサーバから受け取ったＰｉｎｇに対応する全ての新着記事を記憶させるのではなく、所定の条件を充足する新着記事を記憶させるように構成することが好ましい。これによって無秩序化を防ぐことが出来る。
【発明の効果】
【００１８】
上述の各発明を用いることによって、従来は専門的な知識が必要でそのシステム構築が困難であったＰｉｎｇサーバと同等の機能を、各自のウェブサイトにおいて実現することが出来る。これによってＰｉｎｇサーバの一層の普及が図られると共に、ブロガーにとっては、自らのブログをアピールする機会が増えることにも繋がる。
【発明を実施するための最良の形態】
【００１９】
本発明のＰｉｎｇサーバ機能支援システム１を含む全体の概念図を図１に、Ｐｉｎｇサーバ機能支援システム１のシステム構成の概念図を図２に示す。
【００２０】
Ｐｉｎｇサーバ機能支援システム１は、後述するようにユーザ管理システム２と処理システム３とを有する。なおここでユーザ管理システム２と処理システム３とが異なるコンピュータシステム上で実現される場合を示すが、それに限定されることはなく、同一のコンピュータシステムであっても良いし、またこれらのコンピュータシステムが更に複数のコンピュータシステムから実現されていても良い。またＰｉｎｇサーバ機能支援システム１は、Ｐｉｎｇサーバの機能を備えていても良い。
【００２１】
Ｐｉｎｇサーバ機能支援システム１は、Ｐｉｎｇサーバ機能支援システム１の利用を希望するウェブサーバ７や、ブログが更新されたことの通知であるＰｉｎｇを複数のＰｉｎｇサーバに一括配信するＰｉｎｇ一括配信サーバ１１、ブロガーのコンピュータ端末（本明細書では「ブロガー端末１０」と称する）、一般のインターネットユーザが利用するコンピュータ端末（本明細書では「ユーザ端末１２」と称する）、ウェブサーバ７の運営者が利用するコンピュータ端末（本明細書では「運営者端末１３」と称する）と、ネットワークを介して情報の送受信が可能である。
【００２２】
Ｐｉｎｇサーバ機能支援システム１は、本システムの利用者に係る処理を行うユーザ管理システム２と、ウェブサーバ７に対してＰｉｎｇサーバと同等の機能を実現させるための処理を実行する処理システム３とを有する。
【００２３】
ユーザ管理システム２は、システム利用者登録受付部とシステム利用者情報記憶部とを有する。
【００２４】
システム利用者登録受付部は、本システムの利用者であるウェブサーバ７の運営者に関する属性情報、例えば企業名、ウェブサーバ７のウェブサイトのＵＲＬ、ログインＩＤ、パスワード、担当者のメールアドレス、担当者名、所在地、連絡先などの情報の入力をウェブサーバ７やウェブサーバ７の運営者が利用する運営者端末１３から受け付け、後述するシステム利用者情報記憶部に記憶させる。
【００２５】
システム利用者情報記憶部は、システム利用者登録受付部において受け付けたウェブサーバ７の運営者の属性情報を記憶する。図１４にシステム利用者情報記憶部の概念図を模式的に示す。図１４において、「サイトＵＲＬ」とは当該運営者のウェブサイトのＵＲＬであり、管理サイトＵＲＬとは、後述するスクリプトファイルが置かれているなど、Ｐｉｎｇサーバ機能支援システム１において、当該運営者用の記憶領域の所在地のＵＲＬである。ここで指定された記憶領域に、後述するスクリプトファイルなどが記憶される。
【００２６】
処理システム３は、タグ処理部４とＰｉｎｇ処理部５と更新情報記憶部６とを有する。
【００２７】
タグ処理部４は、ウェブサーバ７の運営者の運営者端末１３からアクセスを受け付けた際に表示する画面表示に係る処理を行う画面情報提供部、その画面情報を記憶する画面情報記憶部、ウェブサーバ７においてＰｉｎｇサーバと同等の機能を実現させるスクリプトファイル（後述）へアクセスするためのＵＲＬを含むタグ情報を運営者端末１３に表示させるタグ情報提供部を有する。
【００２８】
Ｐｉｎｇ処理部５は、ユーザ端末１２から更新情報取得要求を受け付け、後述する更新情報記憶部６に記憶する当該ウェブサイトに対応するＲＳＳによる新着記事を抽出する更新情報取得要求受付部、ネットワークにおけるブログサービスを提供するサーバ（「ブログサーバ」）やＰｉｎｇ一括配信サーバ１１からＰｉｎｇを受け取って、そのＰｉｎｇに対応するＲＳＳによる新着記事を取得してそれを更新情報記憶部６に記憶させるＰｉｎｇ受取部、更新情報取得要求受付部で抽出したＲＳＳによる新着記事を当該ユーザ端末１２に送信する更新情報送信部とを有する。
【００２９】
また更新情報記憶部６は、各ウェブサーバ７やウェブサイトの運営者毎に、当該ウェブサイトに表示させるＰｉｎｇに対応するＲＳＳによる新着記事を時系列的に記憶する。この際に、Ｐｉｎｇ一括配信サーバ１１から受け取ったＰｉｎｇ、ＲＳＳによる新着記事をそのまま記憶していても良いし、例えば予め定められた条件を充足するＰｉｎｇ、ＲＳＳによる新着記事のみを記憶するように構成しても良い。その場合、ある特定の分野や用語を含むブログの記事にかかるＰｉｎｇ、ＲＳＳによる新着記事であるかを判定し（この際の判定条件は、各運営者毎に予め設定されている）、その条件を充足する場合に、更新情報記憶部６に記憶されることとなる。この判定処理は、Ｐｉｎｇ受取部で行えばよい。図１３に更新情報記憶部６の概念図を模式的に示す。
【００３０】
次に各ウェブサーバ７においては、一般のインターネットユーザのユーザ端末１２に対して表示させるウェブサイトのコンテンツに係る処理を行うコンテンツ処理部８と、そのコンテンツに係る情報を記憶するコンテンツ記憶部９とを有する。
【００３１】
Ｐｉｎｇ一括配信サーバ１１は、各ブログサービス提供会社のブログサーバからＰｉｎｇを受け取り、予め登録されているＰｉｎｇサーバに対して、Ｐｉｎｇを配信するサーバである。このような一括配信を行うＰｉｎｇ一括配信サーバ１１を介してＰｉｎｇを配信することによって、ブロガーは各Ｐｉｎｇサーバを個別に指定せずとも、Ｐｉｎｇ一括配信サーバ１１をＰｉｎｇの配信先として指定さえしておけば、Ｐｉｎｇ一括配信サーバ１１で予め登録されているＰｉｎｇサーバに対してＰｉｎｇが自動的に配信されるので、非常に便利である。従って、本発明のＰｉｎｇサーバ機能支援システム１におけるＰｉｎｇ処理部５は、Ｐｉｎｇ一括配信サーバ１１からＰｉｎｇを受け取ることが好ましいが、このようなＰｉｎｇ一括配信サーバ１１でなくても、通常のブログサーバからＰｉｎｇを受け取っても良い。この場合にはブロガーが独自にＰｉｎｇサーバ機能支援システム１におけるＰｉｎｇの配信先のＵＲＬを指定しておく必要がある。
【実施例１】
【００３２】
次に本発明の処理プロセスの一例を図３のフローチャート、図１及び図２の概念図を用いて説明する。
【００３３】
まずウェブサーバ７において、Ｐｉｎｇサーバと同等の機能を実現するための前処理のプロセスを説明する。
【００３４】
この場合、ウェブサーバ７の運営者は、運営者端末１３から所定の方法によりＰｉｎｇサーバ機能支援システム１にアクセスし、そのユーザ管理システム２においてシステム利用者としての登録処理を行う（Ｓ１００）。
【００３５】
即ち、運営者端末１３からＰｉｎｇサーバ機能支援システム１のユーザ管理システム２にネットワークを介してアクセスする。そして所定の操作を行うことにより、システム利用者としての登録を行う画面を表示させる。図４にシステム利用者の登録画面の一例を示す。
【００３６】
このような登録画面から所定の属性情報を入力することによって、システム利用者として登録が行われる。運営者端末１３から入力された属性情報は、ネットワークを介してユーザ管理システム２のシステム利用者登録受付部において受け付け、受け付けた属性情報がシステム利用者情報記憶部に記憶される。この際に、当該運営者に対するＩＤ（識別情報）やパスワードの認証情報が発行されることが好ましい。発行された認証情報は、受け付けた属性情報とあわせてシステム利用者情報記憶部に記憶される。
【００３７】
一方、ユーザ管理システム２において新たなシステム利用者の登録処理が行われると、処理システム３のＰｉｎｇ処理部５は、更新情報記憶部６において当該運営者に対するＰｉｎｇの記憶領域を生成する（Ｓ１１０）。つまり当該運営者のウェブサイトにおいて表示させるためのＰｉｎｇとそれに対応するＲＳＳによる新着記事を時系列的に記憶させるデータベースやデータファイルを更新情報記憶部６の記憶領域の中に確保する。この記憶領域は、各運営者やウェブサイト（ウェブサーバ７）毎に割り当てられていることが好ましい。
【００３８】
またこの記憶領域の生成の際に、どのような種類のＰｉｎｇをＰｉｎｇ一括配信サーバ１１またはブログサーバから受け取って蓄積するのか、の条件の指定が行えるようにしても良い。その場合、運営者端末１３から条件の入力をＰｉｎｇ処理部５において受け付け、その条件を記憶しておけば良い。
【００３９】
またＰｉｎｇの記憶領域の生成と共に、タグ処理部４は、当該運営者に対して表示させるスクリプトファイルの生成を行う（Ｓ１１０）。このスクリプトファイルは、好適にはＪａｖａ（登録商標）言語により記載されたスクリプトファイルであり、上述の更新情報記憶部６において生成した当該運営者に対するＰｉｎｇやそれに対応するＲＳＳによる新着記事の記憶領域に蓄積しているＲＳＳによる新着記事をユーザ端末１２に表示させるためのスクリプトファイルである。従ってこのスクリプトファイルにおいては、当該運営者に対するＰｉｎｇとそれに対応するＲＳＳによる新着記事の記憶領域の所在地を指定しているため、各運営者毎に異なるスクリプトファイルとなっている。このように生成したスクリプトファイルは、タグ情報提供部において各運営者毎に記憶されていることが良い。
【００４０】
以上のような処理プロセスにより、前処理が実行される。
【００４１】
次にこのようなシステム利用者の登録の後、運営者が自らのウェブサイト（ウェブサーバ７）をＰｉｎｇサーバと同等に機能させる場合には、運営者端末１３からＰｉｎｇサーバ機能支援システム１にネットワークを介してアクセスする。そうすると図５に示すようなログイン画面から、システム利用者としての登録時に発行された認証情報を入力して認証処理が行われる。この認証処理は、ユーザ管理システム２において、運営者端末１３から入力された認証情報と、システム利用者情報記憶部に記憶している認証情報とを比較することにより実行できる。
【００４２】
正常に認証処理が終了すると、処理システム３のタグ処理部４における画面情報提供部が、画面情報記憶部に記憶する、運営者端末１３に表示させる画面情報を運営者端末１３に送信することで、所定の画面が運営者端末１３で表示される。この際の画面の一例が図６である。
【００４３】
即ち、当該運営者のウェブサイト（ウェブサーバ７）にＰｉｎｇサーバと同等の機能を保持させるためには、Ｐｉｎｇサーバの機能を実現するＨＴＭＬタグやその処理を実行するスクリプトファイル（プログラムなど）が備えられていなければならない。ところがそのようなＨＴＭＬタグやスクリプトファイルを運営者自らが記述するのは誰でもが容易に出来ることではない。なぜならばブログサーバやＰｉｎｇ一括配信サーバ１１からＰｉｎｇを受け取る機能や受け取ったＰｉｎｇに対応するＲＳＳによる新着記事を当該ウェブサイトにおいて表示させる機能などを記述しなければならないが、それには相当のネットワークに関する知識が必要となるからである。
【００４４】
そこで本発明においては、Ｐｉｎｇ一括配信サーバ１１やブログサーバからＰｉｎｇを受け取る機能については、Ｐｉｎｇサーバ機能支援システム１におけるＰｉｎｇ処理部５及び更新情報記憶部６において行い、当該ウェブサイトにアクセスしたインターネットユーザのユーザ端末１２から、Ｐｉｎｇ処理部５及び更新情報記憶部６から当該運営者のＰｉｎｇとして記憶しているＰｉｎｇに対応するＲＳＳによる新着記事を取得するようなタグ及びスクリプトファイルへアクセスするためのＵＲＬを、運営者のウェブサイトのＨＴＭＬタグに含めさせることで、あたかも運営者のウェブサイト（ウェブサーバ７）もＰｉｎｇサーバとして機能しているかのように見せることが出来ることとなる。そのため、このような処理を実現させるためのタグ及びスクリプトファイル（Ｓ１１０において生成したスクリプトファイル）へアクセスするためのＵＲＬとを、タグ処理部４において所定の操作を行うことにより表示させ、それを運営者がコピーして、自らのウェブサイトのＨＴＭＬタグに貼り付けさせることで、上述の機能が実現させられる。
【００４５】
このようなタグ及びスクリプトファイルへアクセスするためのＵＲＬなどの表示欄が図６における表示欄である。最初にアクセスした段階ではこの表示欄にはなにも表示されておらず、運営者が運営者端末１３から「表示」ボタンの押下等の所定の操作を行うことによって、その入力操作をタグ情報提供部が受け付けて、所定のタグ及びＳ１１０で当該運営者に対して生成したスクリプトファイルへアクセスするためのＵＲＬなどをタグ情報提供部が当該表示欄に表示する。図７に表示欄に表示されるタグ及びスクリプトファイルへアクセスするためのＵＲＬの一例を示し、図８にそれが表示欄に表示された状態の一例を示す。
【００４６】
このようにしてタグ情報提供部がタグ及びスクリプトファイルへアクセスするためのＵＲＬなどを所定の表示欄に表示すると、それが運営者端末１３の画面で表示される。そして運営者はこのタグ及びスクリプトファイルへアクセスするためのＵＲＬなどをコピーして、自らのウェブサイトのＨＴＭＬタグの所定箇所に貼り付けて、記憶させる（Ｓ１２０）。記憶されたＨＴＭＬタグは、ウェブサーバ７のコンテンツ記憶部９に記憶される。新たに記憶されたＨＴＭＬタグの一例を図９に示す。
【００４７】
このようにタグ情報提供部によって所定の表示欄に表示されたタグ及びスクリプトファイルへアクセスするためのＵＲＬなどを、当該運営者のウェブサイトのタグに貼り付けることによって、インターネットユーザがユーザ端末１２からアクセスされた場合に、上述のようにユーザ端末１２が処理システム３の更新情報記憶部６から、当該運営者のＰｉｎｇの記憶領域に蓄積されているＲＳＳによる新着記事を抽出して、そのウェブサイト（運営者のウェブサイト）に表示させることが可能となる。
【００４８】
一般のインターネットユーザが当該運営者のウェブサイト（ウェブサーバ７）にアクセスした場合、コンテンツ処理部８がコンテンツ記憶部９に記憶しているウェブサイトのＨＴＭＬタグを抽出して、ユーザ端末１２に送信することで、ユーザ端末１２において、ウェブサイトとして表示される（Ｓ１３０）。この際に表示されるウェブサイトには、上述のＳ１２０におけるタグ及びスクリプトファイルへアクセスするためのＵＲＬが含まれているので、通常のウェブサイトの画面を表示すると共に、ユーザ端末１２のバックグラウンド処理として、処理システム３から当該ウェブサイトの運営者のＰｉｎｇに対応するＲＳＳによる新着記事を取得する処理が行われる。
【００４９】
即ち、まずＳ１２０において貼り付けられたタグ及びスクリプトファイルへアクセスするためのＵＲＬをユーザ端末１２で読み込むことによって、当該ＵＲＬに対応づけられたスクリプトファイルをＰｉｎｇ処理部５から読み込む（Ｓ１４０）。スクリプトファイルをユーザ端末１２において読み込むと、更新情報記憶部６における当該運営者のＰｉｎｇ記憶領域から、当該運営者のウェブサイト（ウェブサーバ７）において表示させるＲＳＳによる新着記事を取得する更新情報取得要求をユーザ端末１２からＰｉｎｇ処理部５に送信する。
【００５０】
この更新情報取得要求をＰｉｎｇ処理部５における更新情報取得要求受付部で受け付けると、更新情報記憶部６における当該運営者のＰｉｎｇ記憶領域に時系列的に蓄積されているＰｉｎｇに対応するＲＳＳによる新着記事のうち、最新から所定数までのＰｉｎｇに対応するＲＳＳによる新着記事を抽出して（Ｓ１６０）、更新情報送信部が当該ユーザ端末１２に送信する（Ｓ１７０）。
【００５１】
このようにしてＰｉｎｇ処理部５から送信されたＰｉｎｇに対応するＲＳＳによる新着記事をユーザ端末１２で受け取ることによって、当該運営者のウェブサイトの所定箇所においてＲＳＳによる新着記事の表示が行われる（Ｓ１７０）。このようにすることで当該運営者のウェブサイトにおいてＲＳＳによる新着記事の表示が行われ、またユーザ端末１２を利用する一般のインターネットユーザから見た場合、当該運営者のウェブサイト（ウェブサーバ７）がＰｉｎｇサーバとして機能しているかのように見える。
【００５２】
なおＳ１５０における処理の前までに、ブロガーがブログを更新する度に（Ｓ２００）、ブログサーバまたはＰｉｎｇ一括配信サーバ１１から、Ｐｉｎｇ処理部５におけるＰｉｎｇ受取部がＰｉｎｇを受信しており（Ｓ２１０）、それに基づいて更新情報記憶部６における当該運営者のＰｉｎｇの記憶領域に受信したＰｉｎｇとそれに対応するＲＳＳによる新着記事を記憶させている（Ｓ２２０）。
【実施例２】
【００５３】
上述の実施例では、Ｐｉｎｇ受取部がブログサーバまたはＰｉｎｇ一括配信サーバ１１から受け取ったＰｉｎｇとそれに対応するＲＳＳによる新着記事を自動的に更新情報記憶部６に時系列的に記憶する場合を説明したが、当該運営者が企業の場合には、そのウェブサイトに掲載するのにふさわしくない情報が載ってしまう場合もある。そこで、ウェブサイトに掲載するのにふさわしい記事であるか、ふさわしくない記事であるのか、選別を行えるようにしても良い。
【００５４】
その場合、運営者端末１３から所定の方法によりＰｉｎｇサーバ機能支援システム１の処理システム３にアクセスして、当該運営者に対して配信されたＰｉｎｇとそれに対応するＲＳＳによる新着記事とを更新情報記憶部６から抽出して、一覧表示させる。その画面の一例が図１０である。このような画面から掲載するのにふさわしくない情報を見て、「公開」「非公開」を選択の入力、あるいは「削除」の入力が行われることによって、更新情報記憶部６にそれらの情報が、各ＰｉｎｇやＲＳＳによる新着記事に対応づけて記憶される。そして更新情報取得要求受付部がＲＳＳによる新着記事の取得要求を受け付けた際に、「公開」の入力が行われているＲＳＳによる新着記事のみを抽出して、更新情報送信部がユーザ端末１２に送信するように構成しても良い。
【実施例３】
【００５５】
上述の実施例１及び実施例２において、更に、Ｐｉｎｇ受取部がブログサーバまたはＰｉｎｇ一括配信サーバ１１からＰｉｎｇとそれに対応するＲＳＳによる新着記事を受け取って更新情報記憶部６に記憶させる際に、予め当該運営者のウェブサイト（ウェブサーバ７）に対して登録手続を行っているブロガーのブログのみを表示できるようにしても良い。
【００５６】
その場合、Ｐｉｎｇによる配信を行うことを希望するブロガーはブロガー端末１０から所定の操作を行うことによって、Ｐｉｎｇサーバ（この場合には、Ｐｉｎｇサーバ機能支援システム１）に対して登録手続を行う。ここで登録手続を行ったブロガーのＰｉｎｇとそれに対応するＲＳＳによる新着記事のみを、処理システム３はＰｉｎｇ一括配信サーバ１１またはブログサーバから受け取って、更新情報記憶部６に記憶する。即ち、ブロガーが登録手続を行う場合には、図１１に示すような登録画面から自らのＵＲＬを入力して、登録手続を行う。入力されたブロガーのブログのＵＲＬは、Ｐｉｎｇサーバ機能支援システム１において記憶され、当該運営者のウェブサイト（ウェブサーバ７）に対する登録ブログとして記憶される。そして、Ｐｉｎｇ一括配信サーバ１１またはブログサーバからＰｉｎｇを受け取る際に、当該登録したブログのＵＲＬから配信されたＰｉｎｇであるかどうかを判定し、その場合のみＰｉｎｇ受取部が当該Ｐｉｎｇとそれに対応するＲＳＳによる新着記事とを更新情報記憶部６に時系列的に記憶させる。
【００５７】
このようにブログの登録制を採用することによって、無秩序化を防止することが出来る。
【実施例４】
【００５８】
上述の実施例１乃至実施例３において、更に、Ｐｉｎｇ受取部がブログサーバまたはＰｉｎｇ一括配信サーバ１１からＰｉｎｇとそれに対応するＲＳＳによる新着記事を受け取って、更新情報記憶部６に記憶させる際に、特定の分野のＰｉｎｇとそれに対応するＲＳＳによる新着記事を分類してその分野ごとに記憶させるように構成しても良い。
【００５９】
即ち、Ｐｉｎｇ受取部においてＰｉｎｇとそれに対応するＲＳＳによる新着記事を受け取る際に、各分野に対応するキーワードを予め運営者端末１３から設定を受け付けて記憶しておく。そしてそのキーワードを含むＰｉｎｇまたはそれに対応するＲＳＳによる新着記事を受け取った場合に、分野ごとに時系列的に更新情報記憶部６に記憶させる。これによって、特定の分野ごとに記事を表示させることが可能となる。図１２には分野とその分野における抽出キーワードを設定する際の画面の一例を示す。
【産業上の利用可能性】
【００６０】
上述したように、本願発明におけるＰｉｎｇサーバ機能支援システム１を用いることによって、従来は専門的な知識が必要でそのシステム構築が困難であったＰｉｎｇサーバと同等の機能を、各自のウェブサイトにおいて実現することが出来る。これによってＰｉｎｇサーバの一層の普及が図られると共に、ブロガーにとっては、自らのブログをアピールする機会が増えることにも繋がる。
【図面の簡単な説明】
【００６１】
【図１】本発明の全体を示す概念図である。
【図２】Ｐｉｎｇサーバ機能支援システムの概念図である。
【図３】処理プロセスの一例を示すフローチャートである。
【図４】システム利用者登録の画面の一例である。
【図５】認証情報の入力画面の一例である。
【図６】処理システムが運営者端末に表示させる際の画面の一例である。
【図７】コピーさせるタグとスクリプトファイルへアクセスするためのＵＲＬの一例である。
【図８】コピーさせるタグとスクリプトファイルへアクセスするためのＵＲＬが、図６の画面の所定欄に表示された状態を示す画面の一例である。
【図９】コピーしたタグなどをウェブサイトのＨＴＭＬタグに貼り付けた状態を模式的に示す図である。
【図１０】公開・非公開、削除の設定を行う際の画面の一例である。
【図１１】ブロガーが自らのブログの登録を行う際の画面の一例である。
【図１２】分野ごとに自動的に分類を行う際の画面の一例である。
【図１３】更新情報記憶部の概念図を模式的に示す図である。
【図１４】システム利用者情報記憶部の概念図を模式的に示す図である。
【符号の説明】
【００６２】
１：Ｐｉｎｇサーバ機能支援システム
２：ユーザ管理システム
３：処理システム
４：タグ処理部
５：Ｐｉｎｇ処理部
６：更新情報記憶部
７：ウェブサーバ
８：コンテンツ処理部
９：コンテンツ記憶部
１０：ブロガー端末
１１：Ｐｉｎｇ一括配信サーバ
１２：ユーザ端末
１３：運営者端末
【図１】
2008217397.tif 000003
【図２】
2008217397.tif 000004
【図３】
2008217397.tif 000005
【図４】
2008217397.tif 000006
【図５】
2008217397.tif 000007
【図６】
2008217397.tif 000008
【図７】
2008217397.tif 000009
【図８】
2008217397.tif 000010
【図９】
2008217397.tif 000011
【図１０】
2008217397.tif 000012
【図１１】
2008217397.tif 000013
【図１２】
2008217397.tif 000014
【図１３】
2008217397.tif 000015
【図１４】
2008217397.tif 000016